(57)【要約】      （修正有）【課題】シンプルな構造でありながら、電子レンジ内で蒸気抜き穴を持ち上げるように袋を傾けた傾斜姿勢で加熱パウチを加熱するときに、加熱パウチが膨張しても傾斜姿勢をより確実に維持することができる加熱パウチ用カートンを提供すること。【解決手段】蒸気抜き穴を有した加熱パウチ２０を収容したまま加熱する加熱パウチ用カートン１であって、前面折り曲げ線１５ａ、１５ｂ、１５ｃを押して破断線を破断し、蓋体部３を回転して凸状片３ａを加熱パウチ２０の裏面に配置し、この凸状片３ａを加熱パウチに当接させて、蓋体部３により、蒸気抜き穴を高い位置とした傾斜姿勢を維持する。【選択図】図１０
2017039544.tif 000002
【特許請求の範囲】
【請求項１】
圧抜き部を有した電子レンジ加熱パウチを収容したまま加熱する加熱パウチ用カートンであって、
前面板と、
該前面板の一方の側縁にて連続する第一側面板と、
前記前面板の他方の側縁にて連続する第二側面板と、
前記前面板と対向するとともに前記第一側面板と前記第二側面板と連続する後面板と、
前記前面板、第一側面板、後面板、第二側面板のそれぞれの上縁に連続する上面板と、
前記前面板、第一側面板、後面板、第二側面板のそれぞれの下縁に連続する下面板と、
を含み、前後方向に短い扁平な箱体として構成され、
前記前面板には、前記第一側面板と第二側面板との間に延びる前面破断線と、前記前面破断線から前記上面板方向に延びる前面折り曲げ線と、が設けられ、
前記第一側面板と第二側面板には、それぞれ、前記前面破断線と連続して前記後面板に亘る側面破断線が設けられ、
前記後面板には、前記側面破断線のそれぞれと連なる後面折り曲げ線が設けられ、
前記前面破断線には、上下方向と交差する左右方向の中央部分において前記下面板側へ突出するように形成された凸状部が設けられ、
ていることを特徴とする加熱パウチ用カートン。
【請求項２】
前記前面折り曲げ線は、前記前面破断線の左右方向の中央から前記上面板に向かって上下方向に設けられた前面中央折り曲げ線であることを特徴とする請求項１に記載の加熱パウチ用カートン。
【請求項３】
前記前面折り曲げ線は、前記前面中央折り曲げ線に加え、前記前面破断線の凸状部の左右から前記前面中央折り曲げ線に向かって延びる前面右折り曲げ線及び前面左折り曲げ線を含むことを特徴とする請求項２に記載の加熱パウチ用カートン。
【請求項４】
前記前面折り曲げ線は、前記前面板の左右方向における中央に向けて前記前面破断線の凸状部の左右から延びる前面右折り曲げ線及び前面左折り曲げ線であることを特徴とする請求項１に記載の加熱パウチ用カートン。
【請求項５】
前記前面折り曲げ線が、前記前面板の上端に至らないように設けられたことを特徴とする請求項１〜４のいずれか一項に記載の加熱パウチ用カートン。
【請求項６】
加熱パウチ用カートンの箱原板であって、
糊代片、後面板、第二側面板、前面板、第一側面板が折り曲げ線を介して順次連接され、
前記後面板の両端縁には折り曲げ線を介して後板上縁片と後板下縁片がそれぞれ連接され、
前記第一側面板及び第二側面板の両端縁には折り曲げ線を介して折り込み片がそれぞれ連接され、
前記前面板の両端縁には折り曲げ線を介して前板上縁片と前板下縁片がそれぞれ連接され、
前記前面板には、前記第一側面板と第二側面板との間に延びる前面破断線が設けられ、
前記第一側面板、第二側面板、糊代片には、それぞれ、前記前面破断線と連続してそれぞれ後面板に亘る側面破断線が設けられ、
前記後面板には、前記側面破断線のそれぞれと連なる後面折り曲げ線が設けられ、
前記前面破断線には、上下方向と交差する左右方向の中央部分において前記前板下縁片側へ突出するように形成された凸状部が設けられ、
前記前面板には、前記前面破断線から前板上縁片方向に延びる前面折り曲げ線が設けられていることを特徴とする加熱パウチ用カートンの箱原板。
【発明の詳細な説明】
【技術分野】
【０００１】
本発明は、食品等を密封し電子レンジ加熱可能な加熱パウチを包装したまま加熱することができる加熱パウチ用カートン及び箱原板に関する。
【背景技術】
【０００２】
近年、電子レンジで加熱可能な食品密封収納袋（加熱パウチ）が用いられる。この加熱パウチを電子レンジで加熱すると内部で蒸気が発生して内圧が高まるが、このような加熱パウチには、袋の端に近い部分に加熱時の蒸気を逃がして内圧を下げるための圧抜き部（蒸気抜き穴）を持つものがある。この蒸気抜き穴が、食品の加熱による内圧上昇により所定の内圧になると開封され、加熱パウチ内で圧力が高まった蒸気を逃がすことができる。
【０００３】
しかしながら、このようなタイプの加熱パウチでは、平坦に載置（平坦置き）すると加熱時に蒸気抜き穴から蒸気の排出とともに内容物が排出されてしまう場合がある。また、圧抜き部に内容物が詰まって、蒸気が抜けにくくなるおそれもある。そのため、加熱時には、蒸気抜き穴を持ち上げるようにして電子レンジ内に載置することが必要となるが、袋自体で自立できないタイプの加熱パウチは、何らかの方法で圧抜き部が高くなる姿勢（傾斜姿勢）にしなくてはならない。
【０００４】
そのために、従来技術では特許文献１に示すような「自立性カートン」が提案された。これは、図２２（ａ）、（ｂ）に示すように加熱パウチ１２０を外装用のカートン１０１に収容したまま、カートン１０１前面の上部に左右方向に設けられた破断線１１１を有し、その中央部に形成された下向きに突出した凸状の破断線（凸状部）１１１ａを押し破り、蓋体部１０３に凸状片１０３ａを形成する。この蓋体部１０３に形成された凸状片１０３ａをさらに押してカートン１０１の前面と側面の破断線に沿って蓋体部１０３を後面を残して完全に分離して、後面に形成された折り曲げ線に沿って蓋体部１０３を後側に概ね９０度折り曲げて開封する。このような開封を、本願では「９０度開き」という。そうすると図２２（ｂ）に示すように、折り曲げた蓋体部１０３の上面を支えにして圧抜き部を持ち上げた傾斜姿勢で加熱できるものである。
【０００５】
蓋体部１０３が閉じてしまうと加熱パウチ１２０が傾斜姿勢から平坦置きになってしまう虞があるため、特許文献１では、蓋体部１０３の折り曲げ線に切れ込みからなるロック片１０７を設けて蓋体部１０３を閉じにくくするようなものが提案された。
【０００６】
しかしながら、特許文献１のカートン１０１では、膨張するパウチの大きな力により蓋体部が閉じてしまう力が働き、特許文献１のロック片１０７では蓋体部１０３の傾斜が維持できず、パウチの平坦置きを十分に防止できないことがあった。
【０００７】
また、図示しない特許文献２に示すような「食品密封収容袋包装箱」があった。これは、凸状部に左右方向の上壁折り曲げ用部を設け、凸状部の先端を内側に折り曲げることで、積極的に加熱パウチの裏側に凸状部の先端を潜り込ませ蓋体部を閉じないようにして加熱時に傾斜姿勢を維持しようとするものであった。
【０００８】
しかしながら、９０度開きにしたときに、簡単に凸状部の先端を上壁折り曲げ用部により折り曲げて、パウチの裏側に潜り込ませて配置できるものの、逆に簡単に凸状部の先端が曲がってしまうので、折れ曲がり過ぎたり、逆向きに折れ曲がったりして位置が安定せず、かえって凸状部の先端が加熱パウチの裏側から表側に戻ってしまうなど、蓋体部がパウチを支えることができず結局傾斜姿勢から平坦置きになってしまう虞があった。
【先行技術文献】
【特許文献】
【０００９】
【特許文献１】特開２００４−２９９７１５
【特許文献２】特開２０１２−２４６０５６
【発明の概要】
【発明が解決しようとする課題】
【００１０】
このように、従来の加熱パウチ用カートンでは、電子レンジ内で蒸気抜き穴を持ち上げるように袋を傾けた傾斜姿勢で加熱パウチを加熱するときに、加熱パウチが膨張するとカートンが変形して蓋体部が閉じてしまい、傾斜姿勢を確実に維持することができなくなる虞があるという問題があった。
【００１１】
本発明は、シンプルな構造でありながら、電子レンジ内で蒸気抜き穴を持ち上げるように袋を傾けた傾斜姿勢で加熱パウチを加熱するときに、加熱パウチが膨張しても傾斜姿勢をより確実に維持することができる加熱パウチ用カートン及び箱原板を提供することにある。
【課題を解決するための手段】
【００１２】
上記課題を解決するため、本発明では、圧抜き部を有した電子レンジ加熱パウチを収容したまま加熱する加熱パウチ用カートンであって、前面板と、該前面板の一方の側縁にて連続する第一側面板と、前記前面板の他方の側縁にて連続する第二側面板と、前記前面板と対向するとともに前記第一側面板と前記第二側面板と連続する後面板と、前記前面板、第一側面板、後面板、第二側面板のそれぞれの上縁に連続する上面板と、前記前面板、第一側面板、後面板、第二側面板のそれぞれの下縁に連続する下面板と、を含み、前後方向に短い扁平な箱体として構成され、前記前面板には、前記第一側面板と第二側面板との間に延びる前面破断線と、前記前面破断線から前記上面板方向に延びる前面折り曲げ線と、が設けられ、前記第一側面板と第二側面板には、それぞれ、前記前面破断線と連続して前記後面板に亘る側面破断線が設けられ、前記後面板には、前記側面破断線のそれぞれと連なる後面折り曲げ線が設けられ、前記前面破断線には、上下方向と交差する左右方向の中央部分において前記下面板側へ突出するように形成された凸状部が設けられていることを要旨とする。
【００１３】
また、本発明の一態様では、前記前面折り曲げ線は、前記前面破断線の左右方向の中央から前記上面板に向かって上下方向に設けられた前面中央折り曲げ線であることを要旨とする。
【００１４】
また、本発明の一態様では、前記前面折り曲げ線は、前記前面中央折り曲げ線に加え、前記前面破断線の凸状部の左右から前記前面中央折り曲げ線に向かって延びる前面右折り曲げ線及び前面左折り曲げ線を含むことを要旨とする。
【００１５】
また、本発明の一態様では、前記前面折り曲げ線は、前記前面板の左右方向における中央に向けて前記前面破断線の凸状部の左右から延びる前面右折り曲げ線及び前面左折り曲げ線であることを要旨とする。
【００１６】
また、本発明の一態様では、前記前面折り曲げ線が、前記前面板の上端に至らないように設けられたことを要旨とする。
また、本発明は、加熱パウチ用カートンの箱原板であって、糊代片、後面板、第二側面板、前面板、第一側面板が折り曲げ線を介して順次連接され、前記後面板の両端縁には折り曲げ線を介して後板上縁片と後板下縁片がそれぞれ連接され、前記第一側面板及び第二側面板の両端縁には折り曲げ線を介して折り込み片がそれぞれ連接され、前記前面板の両端縁には折り曲げ線を介して前板上縁片と前板下縁片がそれぞれ連接され、前記前面板には、前記第一側面板と第二側面板との間に延びる前面破断線が設けられ、前記第一側面板、第二側面板、糊代片には、それぞれ、前記前面破断線と連続してそれぞれ後面板に亘る側面破断線が設けられ、前記後面板には、前記側面破断線のそれぞれと連なる後面折り曲げ線が設けられ、前記前面破断線には、上下方向と交差する左右方向の中央部分において前記前板下縁片側へ突出するように形成された凸状部が設けられ、前記前面板には、前記前面破断線から前板上縁片方向に延びる前面折り曲げ線が設けられていることを要旨とする。
【発明の効果】
【００１７】
本発明によれば、シンプルな構造でありながら、電子レンジ内で蒸気抜き穴を持ち上げるように袋を傾けた傾斜姿勢で加熱パウチを加熱するときに、加熱パウチが膨張しても傾斜姿勢をより確実に維持することができる。
【図面の簡単な説明】
【００１８】
【図１】本発明の加熱パウチ用カートンの一実施例の開封前の斜視図
【図２】本発明の加熱パウチ用カートンの一実施例の開封前の正面図
【図３】本発明の加熱パウチ用カートンの一実施例の（ａ）上面図、（ｂ）右側面図、（ｃ）背面図、（ｄ）左側面図、（ｅ）底面図
【図４】本発明の加熱パウチ用カートンの一実施例に収容される加熱パウチの（ａ）食品が充填された加熱前の加熱パウチの正面図、（ｂ）（ａ）のＡ−Ａ断面図
【図５】本発明の加熱パウチ用カートンの一実施例の組み立て前の箱原板
【図６】本発明の加熱パウチ用カートンの一実施例の開封の経過を示す斜視図
【図７】本発明の加熱パウチ用カートンの一実施例の開封の経過を示す斜視図
【図８】本発明の加熱パウチ用カートンの一実施例の開封の経過を示す斜視図
【図９】本発明の加熱パウチ用カートンの一実施例の開封の経過を示す斜視図
【図１０】本発明の加熱パウチ用カートンの一実施例の９０度開きの開封を示す斜視図
【図１１】（ａ）本発明の加熱パウチ用カートンの一実施例を９０度開きで開封した状態示す左側面図、（ｂ）開封した状態で加熱パウチを加熱した状態を示す左側面図。
【図１２】本発明の加熱パウチ用カートンの一実施例を９０度開きで開封して加熱した状態を示す（ａ）左側面図、（ｂ）上面図
【図１３】本発明の加熱パウチ用カートンの一実施例を完全開きで開封した状態を示す斜視図
【図１４】本発明の加熱パウチ用カートンの一実施例を完全開きで開封した状態で加熱した状態を示す（ａ）左側面図、（ｂ）上面図
【図１５】（ａ）、（ｂ）本発明の加熱パウチ用カートンの他の実施例の正面図
【図１６】本発明の加熱パウチ用カートンの他の実施例の正面図
【図１７】本発明の加熱パウチ用カートンの他の実施例の正面図
【図１８】本発明の加熱パウチ用カートンの他の実施例の正面図
【図１９】本発明の加熱パウチ用カートンの他の実施例の正面図
【図２０】本発明の加熱パウチ用カートンの他の実施例の正面図
【図２１】本発明の加熱パウチ用カートンの他の実施例の正面図
【図２２】従来の加熱パウチ用カートンの開封前の状態を示す（ａ）斜視図、（ｂ）９０度開きで開封した状態の左側面図
【発明を実施するための形態】
【００１９】
以下、本発明を具体化した加熱パウチ用カートンの一実施形態を図１〜図１４にしたがって説明する。
［外形形状］
図１において、上方向を前、左手前を上、右手前を左とする。図１に示すように、加熱パウチ用カートン１は、開封前は、全体として前後方向に短い扁平な概ね直方体の、板紙からなる箱体として形成されている。
【００２０】
加熱パウチ用カートン１には、所定の印刷インクにより印刷がなされている。また、意匠面となる外表面には、美観と、防湿、傷防止等の目的でニスや樹脂コーティング処理がなされている。
【００２１】
前面には、長方形形状からなる前面板４が配置され、この前面板４の左端部と概ね直交する左側面板７が連続している。また、図３（ｂ）に示すように、この前面板４の右端部と概ね直交する右側面板６が連続している。右側面板６及び左側面板７は、同じ長方形形状で互いに対向して配置されている。
【００２２】
図３（ｃ）に示すように、背面には、右側面板６及び左側面板７と概ね直交して連続する後面板５が配置される。後面板５は、前面板４と同じ長方形形状で、前面板４と互いに対向して配置されている。
【００２３】
また、図１、図３（ａ）に示すように前面板４、後面板５、右側面板６、左側面板７のそれぞれの上縁には、これらと概ね直交するように連続して上面板９が配置される。また、図３（ｅ）に示すように、前面板４、後面板５、右側面板６、左側面板７のそれぞれの下縁には、これらと概ね直交するように連続して、下面板１０が配置される。上面板９と下面板１０とは同一の長方形形状で対向して配置されている。
【００２４】
図３（ｂ）、（ｃ）に示すように、加熱パウチ用カートン１は、例えば、上下方向の高さＨ＝１６．６ｃｍ、左右方向の幅Ｗ＝１３．０ｃｍ、前後方向の厚みＤ＝２．２ｃｍの前後方向に扁平な形状となっている。
［破断線・切込線］
図２に示すように、前面板４の上部には、右側面板６と左側面板７との間に左右に延びる前面破断線１１が設けられている。
【００２５】
この前面破断線１１は、右端部から延びる概ね水平な前面右破断線１１ｂと、左端部から延びる概ね水平な前面左破断線１１ｃとを備える。また、その左右の前面右破断線１１ｂと前面左破断線１１ｃとに挟まれた中央部分にこれらに連続するように、前面凸状破断線１１ａが設けられている。この前面凸状破断線１１ａは、概ね水平な前面左破断線１１ｃ、前面右破断線１１ｂからなだらかな勾配で下面板１０側へ湾曲し、下面板１０側に突出する凸状部が形成されている。
【００２６】
なお、前面凸状破断線１１ａと、前面右破断線１１ｂ及び前面左破断線１１ｃとの境界は、厳密なものでなく、説明の便宜状の名称であり、前面破断線１１において概ね中央部に概ね下方向に突出した部分があればよく、それが前面凸状破断線１１ａである。凸状部は、前面破断線１１のごく一部であってもよいし、前面破断線１１のすべての部分が前面凸状破断線１１ａとしてもよい。
【００２７】
また、図１に示すように左側面板７には、前面左破断線１１ｃと連続して後面板５に亘る左側面破断線１３が設けられている。また、図３（ｂ）に示すように、右側面板６には、前面右破断線１１ｂと連続して後面板５に亘る右側面破断線１２がほぼ水平に設けられている。
【００２８】
図３（ｃ）に示すように、後面板５の右側（図上左側）には、右側面破断線１２と連続した後面右切込線１４ａが水平に形成されるとともに、その先端部は斜め下方に屈曲している。また後面板５の左側には、これと対称に（図上右側に）左側面破断線１３と連続した後面左切込線１４ｂが水平に形成されるとともに、その先端部は斜め下方に屈曲している。
【００２９】
後面折り曲げ線１６は、後面右切込線１４ａと後面左切込線１４ｂとの間にほぼ連続して設けられている。但し、その間にはわずかな間隙が設けられて連なっている。そのため、勢いよく後面右切込線１４ａと後面左切込線１４ｂとを破断した場合でも、後面右切込線１４ａと後面左切込線１４ｂの破断が、下向きに続き、後面折り曲げ線１６が破断されないようになっている。
【００３０】
これら前面破断線１１、右側面破断線１２、左側面破断線１３は、貫通切断線を断続的に設けて形成しているが、破断しやすさと箱の強度を考慮して適宜変更できる。また、後面右切込線１４ａと後面左切込線１４ｂとは、連続した貫通切断線となっており、右側面破断線１２、左側面破断線１３を破断すれば、そのまま破断は完了する。
【００３１】
つまり、右側面破断線１２・左側面破断線１３を破断しているときに、破断が後面右切込線１４ａ・後面左切込線１４ｂに至ったときの破断抵抗が少なくなる感覚で、開封が完了したことが体感的に直感できる。また、このような感触を与えることで、加熱パウチ用カートン１の蓋体部３を本体部２から適切に開封できる。
【００３２】
なお、図３（ｃ）に示すように、後面板５の下端部中央には、下方が開放した半円状の後面下破断線１４ｃがミシン目で形成されている。これは、箱の廃棄の際に、この後面下破断線１４ｃを押し破ることで下面板１０を分解しやすくするものである。
［前面折り曲げ線］
図２に示すように、前面板４には、前面破断線１１から上面板９方向に延びる前面折り曲げ線１５が設けられる。「折り曲げ線」は、罫線等により、容易に所定の位置で折り曲がるように構成される部分である。
【００３３】
前面折り曲げ線１５は、前面中央折り曲げ線１５ａと、前面右折り曲げ線１５ｂと、前面左折り曲げ線１５ｃとを含む。
前面中央折り曲げ線１５ａは、前面破断線１１の左右方向の中央から上面板９に向かって直線状に上下方向に設けられた折り曲げ線である。
【００３４】
前面右折り曲げ線１５ｂと、前面左折り曲げ線１５ｃとは、前面凸状破断線１１ａの左右部分から前面中央折り曲げ線１５ａに向かって、両側から左右対称に延びる折り曲げ線で、同一の合流点１５ｄで前面中央折り曲げ線１５ａに合流するように設けられる。さらに、これらは、前面板４の上端部の上前折り曲げ線１８ａとも合流している。
［後面折り曲げ線］
図３（ｃ）に示すように、後面板５の上部には、後面右切込線１４ａと後面左切込線１４ｂのそれぞれ先端近傍に亘り、これらと連なるように水平に後面折り曲げ線１６が設けられており、この後面折り曲げ線１６は、図１１に示すように蓋体部３のヒンジとして機能する。
［加熱パウチ］
図４（ａ）は食品が充填された加熱前の加熱パウチの正面図であり、（ｂ）は、（ａ）のＡ−Ａ断面図である。加熱パウチ２０は、マイクロ波透過可能なフィルムで形成され、全体に正面視長方形の厚みの薄い袋状に形成されている。
【００３５】
図４（ａ）に示す正面視の大きさは、図２に示すように、加熱パウチ用カートン１の内寸とほぼ同じ大きさとなっている。また、図４（ｂ）に示す加熱パウチ２０の側面視の厚みは、図３（ｂ）に示す加熱パウチ用カートン１の厚みＤよりも薄くなっている。これは、加熱パウチ２０を加熱した時に、加熱パウチ２０が膨張しても加熱パウチ用カートン１が変形しにくいようにするために、加熱パウチ用カートン１の内寸に余裕を持たせているからである。
【００３６】
電子レンジで加熱可能な、例えば調理済みのカレーが収容部２１に収容され、周縁部２２が強シール部として気密に熱シールされて収容部２１が密封されている。
図４（ａ）に示すように、正面視右上の部分には、圧抜き部である蒸気抜き穴２３が設けられている。蒸気抜き穴２３は、２枚のフィルムを円環状に熱シールした弱シール部２３ａを備え、その中央に貫通した開放穴２３ｂが穿設されている。
【００３７】
この構成により、加熱パウチ２０を電子レンジで加熱すると、マイクロ波が収容部２１に収容した食品を加熱して内部で蒸気が発生し収容部２１の内圧が高まる。弱シール部２３ａは、強シール部である周縁部２２よりもシール力が低く、所定の圧力で周縁部２２よりも先にシールが剥がれて収容部２１で発生した蒸気を逃がす。この場合、蒸気抜き穴２３の周囲にカレールーのような流動物が存在すると、内部で発生した蒸気のみを逃がすことができず、開放穴２３ｂから収容した食品が排出される場合がある。そのため、加熱時には、外装しているカートンにより、蒸気抜き穴２３の周囲に流動物が存在しないように蒸気抜き穴２３を、鉛直方向に高い位置とする、すなわち傾斜姿勢をとる必要がある。
［箱原板］
ここで、図５を参照して加熱パウチ用カートン１の組み立て前の箱原板３０を説明する。
【００３８】
加熱パウチ用カートン１の箱原板３０は、側面板糊代片８、後面板５、第二側面板としての左側面板７、前面板４、第一側面板としての右側面板６が右後折り曲げ線１７ｂ、左後折り曲げ線１７ｄ、左前折り曲げ線１７ｃ、右前折り曲げ線１７ａを介して順次連接されている。
【００３９】
後面板５の上端縁には上後折り曲げ線１８ｂを介して後板上縁片９ｂと、下縁端には下後折り曲げ線１９ｂを介して後板下縁片１０ｂがそれぞれ連接されている。
左側面板７の上端縁には上左折り曲げ線１８ｄを介して左側板上折り込み片９ｄが連接され、左側面板７の下端縁には下左折り曲げ線１９ｄを介して左側板下折り込み片１０ｄが連接されている。
【００４０】
前面板４の上端縁には上前折り曲げ線１８ａを介して前板上縁片９ａ連接され、前面板４の下端縁には下前折り曲げ線１９ａを介して前板下縁片１０ａが連接されている。
右側面板６の上端縁には上右折り曲げ線１８ｃを介して右側板上折り込み片９ｃが連接され、右側面板６の下端縁には下右折り曲げ線１９ｃを介して右側板下折り込み片１０ｃが連接されている。
【００４１】
前面板４には、図２に示すように、前面凸状破断線（凸状部）１１ａ、前面右破断線１１ｂ、前面左破断線１１ｃからなる前面破断線１１が形成されている。
右側面板６には、前面破断線１１と連続して後面板５に亘る右側面破断線１２が設けられ、側面板糊代片８にも、前面破断線１１と連続して後面板５に亘る糊代片破断線１２ａが設けられる。この右側面破断線１２と糊代片破断線１２ａは、加熱パウチ用カートン１が組み立てられたときには、重なった破断線となる。左側面板７には、前面破断線１１と連続して後面板に亘る左側面破断線１３が設けられている。
【００４２】
後面板５の右側には、右側面破断線１２と連続した後面右切込線１４ａが水平に、形成されるとともに、その先端部は斜め下方に屈曲している。また後面板５の左側には、同じように左側面破断線１３と連続した後面左切込線１４ｂが水平に形成されるとともに、その先端部は斜め下方に屈曲している。
【００４３】
後面板５の下端部中央には、下方が開放した半円状の後面下破断線１４ｃがミシン目で形成されている。
後面板５には、右側面破断線１２、左側面破断線１３のそれぞれとわずかな間隙を介して連なる後面右切込線１４ａと後面左切込線１４ｂが設けられている。また、後面右切込線１４ａと後面左切込線１４ｂの間には、わずかな間隙を介して後面折り曲げ線１６が設けられている。
【００４４】
前面板４には、図２に示すように、前面破断線１１中央から前板上縁片９ａ方向に延びる前面中央折り曲げ線１５ａ、前面凸状破断線１１ａの左右から合流する前面右折り曲げ線１５ｂ、前面左折り曲げ線１５ｃからなる前面折り曲げ線１５が設けられている。
［製造方法］
このような構成の箱原板３０の組み立て方の１例を説明する。
【００４５】
まず、右前折り曲げ線１７ａ、右後折り曲げ線１７ｂ、左前折り曲げ線１７ｃ、左後折り曲げ線１７ｄをそれぞれ概ね９０度山折りとし（以下「９０度山折り」という。）、連接された側面板糊代片８、後面板５、左側面板７、前面板４、右側面板６を筒状として、側面板糊代片８の表面に糊を塗布して右側面板６の内面と接合する。糊としては、電子レンジでの加熱に耐えうる材料であれば特に限定されるものではなく、例えば耐熱タイプのホットメルトを用いて加熱して溶着することとしても良い。
【００４６】
次に、下右折り曲げ線１９ｃ、下左折り曲げ線１９ｄを９０度山折りとし、右側板下折り込み片１０ｃ、左側板下折り込み片１０ｄを折り込む。その後、下後折り曲げ線１９ｂを９０度山折りとし後板下縁片１０ｂを折り込み、最後に下前折り曲げ線１９ａを９０度山折りとし前板下縁片１０ａを折り込む。これらを糊付して、下面板１０を形成する。
【００４７】
ここで、内容物を充填した加熱パウチを加熱パウチ用カートン１に収容する。
最後に、上右折り曲げ線１８ｃ、上左折り曲げ線１８ｄを９０度山折りとし、右側板上折り込み片９ｃ、左側板上折り込み片９ｄを折り込む。その後、上後折り曲げ線１８ｂを９０度山折りとし後板上縁片９ｂを折り込み、最後に上前折り曲げ線１８ａを９０度山折りとし前板上縁片９ａを折り込む。これらを糊付して、上面板９を形成する。
［作用］
このように構成した加熱パウチ用カートン１の作用を説明する。
［開封］
まず、図１に示す状態から加熱パウチ用カートン１の前面凸状破断線（凸状部）１１ａの上部を矢印Ｐの方向に押し込む。
【００４８】
図６に示すように、前面凸状破断線（凸状部）１１ａが破断して隙間ができる。この時、加熱パウチ用カートン１の内部は、加熱パウチ２０が膨張していないので、前面中央折り曲げ線１５ａの部分を内側に押し込む余裕がある。
【００４９】
図７に示すように、前面中央折り曲げ線１５ａの部分を内側に押し込むと、破断は、前面右破断線１１ｂ、前面左破断線１１ｃの部分まで拡がり、前面右折り曲げ線１５ｂ、前面左折り曲げ線１５ｃの部分から折り曲げられ、前面中央折り曲げ線１５ａの部分が、断面が浅いＶ字状に折り曲げられ、前面凸状破断線（凸状部）１１ａが破断され蓋体部３に凸状片３ａが形成される。この蓋体部３に形成された凸状片３ａが内側に押し込まれる。
【００５０】
図８に示すように、さらに凸状片３ａを矢印Ｐの方向に押し込むと、破断は、自然に右側面破断線１２、左側面破断線１３まで拡がる。右側面破断線１２、左側面破断線１３が完全に破断された瞬間に、図９に示すように破断された部分が、既に後面板５に切れ目が形成されている後面右切込線１４ａ、後面左切込線１４ｂ（図３（ｃ）参照）とつながり破断が終了する。蓋体部３が後面を残して本体部２から適切に分離されて、後面折り曲げ線１６（図３参照）をヒンジとして蓋体部３が後方に回転できるようになる。このとき、凸状片３ａは、前面中央折り曲げ線１５ａ、前面右折り曲げ線１５ｂ、前面左折り曲げ線１５ｃにより、大きく窪んで指を掛けやすくなっており、蓋体部３を回転させやすくなっている。
【００５１】
図９に示すように、本体部２から後面を残して分離した蓋体部３を、矢印Ｐの方向に後面折り曲げ線１６をヒンジとしてさらに後方に回転させると、蓋体部３の前側内面が加熱パウチ２０の上端と干渉するようになる。加熱パウチ２０は、調理済みカレーのような流動性の高い食品を柔軟な樹脂フィルムで包装したものであるから、全体として弾性と可撓性を有し、外部から力を加えない自由状態では平坦な薄板上の形状となる。ここでは、蓋体部３の回転に応じて、前面中央折り曲げ線１５ａを中心に、前面右折り曲げ線１５ｂ、前面左折り曲げ線１５ｃにより、断面Ｖ字状になった凸状片３ａが加熱パウチ２０の上端部を押すため、加熱パウチ２０の上端部が変形して後方に折れ曲がる。
［９０度開き］
図１０に示すように、蓋体部３の凸状片３ａが、折れ曲がった加熱パウチ２０の上端を乗り越えると、加熱パウチ２０の上端は、自らの弾性力により変形が解消して元の形状に復帰する。この状態では、蓋体部３が概ね９０度回転した状態である（本願では「９０度開き」という。）。なお、この９０度開きの状態は、図１３に示す蓋体部３を１８０度回転して、完全に開封した状態（本願で、「完全開き」という。）への中途の過程であるが、開封するユーザがこの状態で、開封を留め置く場合もある。この９０度開きの状態は、不完全な状態ではなく、このような状態でも本実施形態に限れば後述するように傾斜姿勢が維持できるため、問題ない。
【００５２】
図１１（ａ）に示すように、９０度開きでは、蓋体部３が概ね９０度回転した状態で上面板９が接地面Ｂに設置して安定した状態となる。このとき、開封の過程で十分に内側に押し込まれた凸状片３ａは、前面中央折り曲げ線１５ａ、前面右折り曲げ線１５ｂ、前面左折り曲げ線１５ｃにより、大きくＶ字状に変形して加熱パウチ２０の上端より下の位置に潜り込んでおり、蓋体部３が閉じることを阻止している。
【００５３】
図１１（ａ）に示すように、９０度開きの時、加熱パウチ２０の裏側に潜り込んだ凸状片３ａは、矢印Ｓで示す加熱パウチ２０を支える方向と略同じ方向に、前面中央折り曲げ線１５ａが位置している。したがって、前面右折り曲げ線１５ｂ、前面左折り曲げ線１５ｃとともに、矢印Ｓの力の方向に概ね直交する断面がＶ字状になった凸状片３ａは、加熱パウチ２０を押す強度が高くなり、座屈しにくい形状となる。このような従来技術の特許文献１のような前面折り曲げ線１５のないものでは、本発明に比べて座屈しやすい。さらに、特許文献２のように加熱パウチ２０を押す方向と概ね直交する方向に上壁折り曲げ用部を設けたものでは、却って容易に座屈して、加熱パウチ２０を支えることはできない。
【００５４】
なお、図１０に示す状態でも、加熱パウチ２０の蒸気抜き穴２３は、加熱パウチ２０の鉛直方向において高い位置になっている傾斜姿勢となっており、電子レンジで加熱する場合に内容物を噴出しないで蒸気のみを逃がすことができる。
【００５５】
さらに、加熱して蒸気抜き穴２３から蒸気が排出された場合に、内容物が伴っても、蒸気抜き穴２３は本体部２に隠された位置にあるため（図２参照）前面板４に遮られ、排出された内容物で電子レンジを汚すことも抑制される。
［加熱した場合の説明］
図１１（ｂ）に示すように、加熱により加熱パウチ２０が膨張すると、加熱パウチ用カートン１も変形する。
【００５６】
このとき、後面板５の変形は、後面折り曲げ線１６も湾曲させるが、後面右切込線１４ａ，後面左切込線１４ｂにより、その影響は緩和される。
しかしながら、図１２（ａ）、（ｂ）に示すように、後面板５の中央部がさらに膨らんで、蓋体部３のヒンジとなっている後面折り曲げ線１６も湾曲し、特に、蓋体部３が９０度以下の回転状態となったときには蓋体部３も閉じようとする力が掛かる。
【００５７】
ここで、加熱パウチ２０の裏側に潜り込んだ凸状片３ａは、加熱パウチ２０を支える方向（矢印Ｓ）と略同じ方向に、前面中央折り曲げ線１５ａが位置しているため、加熱パウチ２０が膨張して蓋体部３が閉じようとするときも、蓋体部３が閉じるのを効果的に阻止して傾斜姿勢を維持する。
【００５８】
また、加熱パウチ２０が膨張すると、上下方向の長さが短くなり、加熱パウチ２０の上端部は、加熱パウチ用カートン１の本体部２に沈み込むようになるが、本発明では、加熱パウチ２０の裏側に潜り込んだ凸状片３ａは、開封する過程で前面中央折り曲げ線１５ａが加熱パウチ２０の上端とは反対の方向に十分押し込まれているため、この点からも加熱パウチ２０が膨張して蓋体部３が閉じようとするときに、蓋体部３が閉じるのを効果的に阻止して、傾斜姿勢を維持する。
［完全開き］
図１３は、蓋体部３を１８０度回転して、完全に開封した「完全開き」の状態を示す。
【００５９】
この状態は、図１４（ａ）、（ｂ）に示すように、蓋体部３は完全に開き切りその後面が本体部２の後面と接している。加熱パウチ２０の質量は、接地面Ｂに設置している蓋体部３の前面上端の部分に掛かっており、蓋体部３の凸状片３ａが加熱パウチ２０を支持していなくても、蓋体部３は後面板５と密着している状態で傾斜姿勢が安定している。この状態で加熱して、図示しない加熱パウチ２０が膨張して加熱パウチ用カートン１が変形し、後面折り曲げ線１６が湾曲したときでも、蓋体部３には、閉じようとする力は発生しにくいので、安定した状態で傾斜姿勢が維持できる。
【００６０】
万一、何らかの衝撃などより蓋体部３が閉じる方向に回転したとしても、９０度開きの状態となるだけで、前述のとおり傾斜姿勢は維持される。
上記実施形態の加熱パウチ用カートンによれば、以下のような効果を得ることができる。
（１）上記実施形態の加熱パウチ用カートン１によれば、前面破断線１１の前面凸状破断線（凸状部）１１ａの近傍を押し込んで、前面破断線１１を破断することで、蓋体部３に凸状片３ａが形成される。このとき、凸状片３ａは変形され、さらに押し込みつつカートンをひねることで、蓋体部３が回転して、加熱パウチ２０の背面に潜り込み断面Ｖ字状に変形された凸状片３ａがこの加熱パウチ２０を背面から支持し、蓋体部３が再び閉止されないようにして、傾斜姿勢を維持する。このため、特に、ユーザが、何か支えを組み立てて作ったり、どこかを折り曲げたりすることもなく、単純に押すだけのワンタッチで傾斜姿勢とする動作を完了する。
【００６１】
したがって、ユーザが、開け方を間違えたり、迷ったりすることもない。
（２）さらに、蓋体部３を１８０度回転した「完全開き」の状態で、傾斜姿勢が維持できるだけでなく、蓋体部３を概ね９０度開き、上面板９を接地面Ｂに当接した「９０度開き」の状態でも、傾斜姿勢を維持することもできる。いずれの状態も、正しい傾斜姿勢であり、正しい使用法である。
（３）９０度開きの状態では、内側に押し込まれた蓋体部３の凸状片３ａは、開封の過程で前面中央折り曲げ線１５ａ、前面右折り曲げ線１５ｂ、前面左折り曲げ線１５ｃの部分で折れ曲がり、十分に内側に折れ曲がり断面Ｖ字形に変形している。そのため、凸状片３ａの先端が、加熱パウチ２０の上端から十分に下側に離れた位置で当接して、蓋体部３が閉じることを有効に阻止し、傾斜姿勢を維持することができる。
（４）この９０度開きの状態で、加熱パウチ２０が膨張し、上下方向の長さが縮むことがあるが、その場合でも、加熱パウチ２０の上端から十分に離れた位置で当接しているので、蓋体部３が閉じることを有効に阻止し、傾斜姿勢を維持することができる。
（５）特に、前面中央折り曲げ線１５ａで断面Ｖ字状に折り曲げられた蓋体部３の凸状片３ａは、その折り曲げ線と加熱パウチ２０を押圧する力の向きが概ね一致しているため、折り曲げられていない凸状片と比較して構造的に強度が高く、座屈しにくくなっており、加熱パウチ２０が加熱されて膨張して大きな力が掛かったときでも、蓋体部３が閉じることを有効に阻止し、傾斜姿勢を維持することができる。
（６）指で押圧された凸状片３ａは、前面中央折り曲げ線１５ａ、前面右折り曲げ線１５ｂ、前面左折り曲げ線１５ｃの部分で折れ曲がり、十分に内側にＶ字形に大きく変形することができる。
（７）大きく変形した凸状片３ａは、さらに指が掛けやすくなり、凸状片３ａを指を掛けたまま、右側面破断線１２、左側面破断線１３を破断することができる。さらに、そのまま凸状片３ａが加熱パウチ２０の上端を乗り越え、凸状片３ａを加熱パウチの裏側に潜り込ませることができる。この状態で９０度開きとなり、この状態でも十分に傾斜姿勢とすることができる。つまり、ワンタッチで開封して、傾斜姿勢とすることができる。
（８）後面右切込線１４ａ、後面左切込線１４ｂを備えるため、蓋体部３を開きやすい。さらに、後面右切込線１４ａ、後面左切込線１４ｂは、その端部が下方に屈曲しており、右側面破断線１２、左側面破断線１３の破断が伝播して、後面折り曲げ線１６を破断するようなことを回避している。
（９）なお、蒸気抜き穴２３は、加熱時に本体部２に覆われた部分に位置するため、蒸気抜き穴２３から内容物が排出された場合でも、電子レンジ内を汚しにくい。
（１０）このように、多様な効果を奏する加熱パウチ用カートン１は、前面凸状破断線１１ａを備えた前面破断線１１と、この前面破断線１１から延びる前面折り曲げ線１５を設けるだけで構成することができ、極めてシンプルな構成で、且つ簡易に製造することができる。
【００６２】
なお、上記実施形態は以下のように変更してもよい。なお、共通する作用・機能の構成の部分は、同じ記号を付して説明を省略する。
［前面折り曲げ線の変形例］
○  図１５（ａ）、（ｂ）に示すように、前面折り曲げ線１５は、前面破断線の左右方向の中央から前記上面板に向かって上下方向に設けられた前面中央折り曲げ線１５ａのみであってもよい。このような前面中央折り曲げ線１５ａでも、蓋体部３の凸状片３ａを有効にＶ字状に押し込むことができる。
○  上記実施形態では、前面折り曲げ線１５は、前面中央折り曲げ線１５ａに加え、凸状部の左右の前面破断線１１から前面中央折り曲げ線１５ａの上端部に向かって延びる前面右折り曲げ線１５ｂ及び前面左折り曲げ線１５ｃの構成であるが、図１６に示すように、前面右折り曲げ線１５ｂ及び前面左折り曲げ線１５ｃが、前面中央折り曲げ線１５ａの上端部より下方の合流点１５ｄで折り曲げ線が集合するような構成としてもよい。このような構成とすることでも、蓋体部３の凸状片３ａを有効にＶ字状に押し込むことができる。
○  また、図１７に示すように、前面右折り曲げ線１５ｂ及び前面左折り曲げ線１５ｃが、前面中央折り曲げ線１５ａの上端部より下方の合流点１５ｄで集合するような構成とするとともに、合流点１５ｄより上の前面中央折り曲げ線１５ａを省略することもできる。
○  また、図１８に示すように、上記実施形態の前面中央折り曲げ線１５ａ、前面右折り曲げ線１５ｂ、前面左折り曲げ線１５ｃのいずれも、前面板４の上端部に至らないように省略してもよい。このように構成することで、上記実施形態と同等の効果を得られるとともに、折り曲げ線を形成するための罫線や刃が密集しないため、打ち抜き型が製作しやすく、加熱パウチ用カートン１も破れにくくなるという効果がある。
○  また、図１９に示すように、前面折り曲げ線１５は、前面板４の左右方向における中央に向けて前面凸状破断線１１ａの左右から延びる前面右折り曲げ線１５ｂ及び前面左折り曲げ線１５ｃのみとしてもよい。
【００６３】
さらに、いずれも、前面板４の上端部に至らないように省略してもよい。このように構成することで、凸状片３ａは、断面Ｕ字状に変形するため、上記実施形態と同等の効果を得られる。それとともに、折り曲げ線を形成するための罫線や刃が密集しないため、打ち抜き型が製作しやすく、加熱パウチ用カートン１も破れにくくなるという効果がある。
［前面破断線（凸状部）の変形例］
○  上記実施形態において、前面破断線１１の前面凸状破断線（凸状部）１１ａの形状については、湾曲した形状に限定されず、図２０に示すような直線状の形状としてもよい。また、前面右破断線１１ｂや、前面左破断線１１ｃも水平な直線状の形状としてもよい。このような構成としても、有効に傾斜姿勢を維持することができる。
○  上記実施形態の前面破断線１１は、中央部が突出した形状であるが、図２１に示すように全体をなだらかに湾曲した形状としてもよい。このような形状としても、前面折り曲げ線１５の効果により、有効に傾斜姿勢を維持することができる。
○  さらに凸状部の形状は上記変形例に限定されず、凸状部の形状や、さらに下方に突出する程度は、カートンの形状・材質、加熱パウチとの関係などから種々変形できる。
［折り曲げ線の形成方法の変形例］
折り曲げ線は、実施形態では、罫線により形成しているが、その位置や機能に合わせて異なる種類の構成を採用しうる。例えば、ミシン目、リード罫線、ハーフカット、型押し加工や、貫通切断線を断続的に設けて形成してもよい。さらに、これら折り曲げ線は、打ち抜型を用いて打ち抜き機で加工しているが、金型を用いて打ち抜き機や箔押し機（空押し）で加工してもよい。
【００６４】
また、これら折り曲げ線は、直線のものに限らず、図１５（ａ）に示すように複数の「ハ」字状の切れ込みを直線状に連続して配置するようにしてもよく、図１５（ｂ）に示すように千鳥足状に配置してもよい。さらに、後面折り曲げ線１６においては、ジグザグ状の切込みなどを設けて、折り曲げやすく且つ戻りにくいようにしてもよい。
［その他の変形例］
○  上記実施形態では、材質「板紙」であったが、ボール紙、板紙やボール紙と樹脂フィルムを貼り合わせたものとしてもよい。さらに、樹脂フィルム自体で製造してもよい。
○  上記実施形態では、縦型のカートンであったが、加熱パウチ２０の寸法は、その用途、材質などにより、その高さＨ、幅Ｗ、厚さＤに関しては、発明が実施できる範囲で、各種の寸法を採用でき、加熱パウチ用カートンの寸法、適宜変更できることは言うまでもない。
○  また、加熱パウチ用カートン１の形状も、直方体に限らず、例えば、平面からなる上面板９に変えて、湾曲した形状としてもよい。また、例えば、右側面板６、下面板１０、左側面板７を、湾曲した１枚の材料から形成してもよい。
○  また、加熱パウチ２０も、底部にマチを備えた形状にしたり、蒸気抜き穴２３の位置や大きさ、形状を変更し、それに合わせて加熱パウチ用カートン１の形状も変更することもできる。
○  加熱パウチに充填するものは、調味済みカレーを例に説明しているが、発明は、流動状の食料品に限定するものではなく、加熱により蒸気を発生する固形物や、医療目的のカイロなどを加熱する場合を排除するものでもない。
○  加熱は、電子レンジを用いるものを挙げているが、電子レンジと代替可能な加熱手段であれば、電子レンジに変えてそのような加熱手段を用いることを排除するものではない。
○  その他、当業者により本発明の技術的思想を逸脱しない範囲で適宜変更できることは言うまでもない。
【符号の説明】
【００６５】
Ｂ…接地面、１…加熱パウチ用カートン、２…本体部、３…蓋体部、３ａ…凸状片、４…前面板、５…後面板、６…（第一側面板・糊代片としての）右側面板、７…（第二側面板としての）左側面板、８…（糊代片としての）側面板糊代片、９…上面板、９ａ…前板上縁片、９ｂ…後板上縁片、９ｃ…右側板上折り込み片、９ｄ…左側板上折り込み片、１０…下面板、１０ａ…前板下縁片、１０ｂ…後板下縁片、１０ｃ…右側板下折り込み片、１０ｄ…左側板下折り込み片、１１…前面破断線、１１ａ…（凸状部としての）前面凸状破断線、１１ｂ…前面右破断線、１１ｃ…前面左破断線、１２…右側面破断線、１２ａ…糊代片破断線、１３…左側面破断線、１４ａ…後面右切込線、１４ｂ…後面左切込線、１４ｃ…後面下破断線、１５…前面折り曲げ線、１５ａ…前面中央折り曲げ線、１５ｂ…    前面右折り曲げ線、１５ｃ…前面左折り曲げ線、１６…後面折り曲げ線、１７…側端折り曲げ線、１７ａ…右前折り曲げ線、１７ｂ…右後折り曲げ線、１７ｃ…左前折り曲げ線、１７ｄ…左後折り曲げ線、１８…上端折り曲げ線、１８ａ…上前折り曲げ線、１８ｂ…上後折り曲げ線、１８ｃ…上右折り曲げ線、１８ｄ…上左折り曲げ線、１９…下端折り曲げ線、１９ａ…下前折り曲げ線、１９ｂ…下後折り曲げ線、１９ｃ…下右折り曲げ線、１９ｄ…下左折り曲げ線、２０…加熱パウチ、２１…収容部、２２…（強シール部としての）周縁部、２３…（圧抜き部としての）蒸気抜き穴、２３ａ…弱シール部、２３ｂ…開放穴、３０…箱原板
【図１】
2017039544.tif 000003
【図２】
2017039544.tif 000004
【図３】
2017039544.tif 000005
【図４】
2017039544.tif 000006
【図５】
2017039544.tif 000007
【図６】
2017039544.tif 000008
【図７】
2017039544.tif 000009
【図８】
2017039544.tif 000010
【図９】
2017039544.tif 000011
【図１０】
2017039544.tif 000012
【図１１】
2017039544.tif 000013
【図１２】
2017039544.tif 000014
【図１３】
2017039544.tif 000015
【図１４】
2017039544.tif 000016
【図１５】
2017039544.tif 000017
【図１６】
2017039544.tif 000018
【図１７】
2017039544.tif 000019
【図１８】
2017039544.tif 000020
【図１９】
2017039544.tif 000021
【図２０】
2017039544.tif 000022
【図２１】
2017039544.tif 000023
【図２２】
2017039544.tif 000024